(57)【要約】【課題】別部品を用いることなくスプリングを保持することのできるカード用コネクタを提供する。【解決手段】スライド部材３０を付勢するスプリング４０の一端側をコネクタ本体１０に一体に設けた保持部１１ｂによって保持するようにしているので、スプリング４０を保持するための保持部品としてピン等の別部品を用いる必要がなく、部品点数及び組立工数を少なくすることができる。この場合、保持部１１ｂを側壁部１１ａ側からスプリング４０内に挿入されるように突設したので、スプリング４０を簡単な形状により確実に保持することができ、構造の簡素化を図ることができる。【選択図】図４
2005108455.tif 000002
【特許請求の範囲】
【請求項１】
一端側にカード挿入口を有するコネクタ本体と、コネクタ本体の他端側に設けられた複数のカード接続用端子と、コネクタ本体内に挿入されたカードと共にカード挿入方向に移動するスライド部材と、スライド部材をカード排出方向に付勢するコイル状のスプリングと、スライド部材をカードの所定の挿入位置でロックするロック機構とを備え、スプリングをスライド部材とコネクタ本体の他端側に位置する側壁部との間に配置したカード用コネクタにおいて、
前記コネクタ本体の側壁部にスプリングの一端側を保持する保持部を一体に設けた
ことを特徴とするカード用コネクタ。
【請求項２】
前記保持部をコネクタ本体の側壁部側からスプリング内に挿入されるように形成した
ことを特徴とする請求項１記載のカード用コネクタ。
【請求項３】
前記保持部をコネクタ本体の側壁部の一部を切り起こすことによって形成した
ことを特徴とする請求項１または２記載のカード用コネクタ。
【発明の詳細な説明】
【技術分野】
【０００１】
本発明は、例えば車載用オーディオ機器、携帯端末、パーソナルコンピュータ及びその周辺機器等に用いられる、いわゆるメモリーカードと電気的に接続するためのカード用コネクタに関するものである。
【背景技術】
【０００２】
従来、この種のカード用コネクタとしては、一端側にカード挿入口を有するコネクタ本体と、コネクタ本体の他端側に設けられた複数のカード接続用端子と、コネクタ本体内に挿入されたカードと共にカード挿入方向に移動するスライド部材と、スライド部材をカード排出方向に付勢するコイル状のスプリングと、スライド部材をカードの所定の挿入位置でロックするロック機構とを備え、コネクタ本体内にカードが挿入された状態でロック機構のロック解除操作を行うと、スプリングによってカードをコネクタ本体の所定位置まで排出するようにしたものが知られている（例えば、特許文献１参照。）。
【０００３】
また、従来のコネクタでは、スプリングをスライド部材とコネクタ本体の他端側に位置する側壁との間に配置し、コネクタ本体の側壁に取付けたピン等の保持部品をスプリングの一端側に挿入することにより、スプリングを保持するようにしている。
【特許文献１】特開２００２−１２４３４３号公報
【発明の開示】
【発明が解決しようとする課題】
【０００４】
しかしながら、従来のコネクタでは、スプリングを保持するための保持部品としてピン等の別部品を用いているため、部品点数及び組立工数が多くなり、製造コストが高くつくという問題点があった。
【０００５】
本発明は前記問題点に鑑みてなされたものであり、その目的とするところは、別部品を用いることなくスプリングを保持することのできるカード用コネクタを提供することにある。
【課題を解決するための手段】
【０００６】
本発明は前記目的を達成するために、一端側にカード挿入口を有するコネクタ本体と、コネクタ本体の他端側に設けられた複数のカード接続用端子と、コネクタ本体内に挿入されたカードと共にカード挿入方向に移動するスライド部材と、スライド部材をカード排出方向に付勢するコイル状のスプリングと、スライド部材をカードの所定の挿入位置でロックするロック機構とを備え、スプリングをスライド部材とコネクタ本体の他端側に位置する側壁部との間に配置したカード用コネクタにおいて、前記コネクタ本体の側壁部にスプリングの一端側を保持する保持部を一体に設けている。
【０００７】
これにより、スライド部材を付勢するスプリングの一端側がコネクタ本体に一体に設けられた保持部によって保持されることから、スプリングを保持するための部品を別途必要としない。
【発明の効果】
【０００８】
本発明によれば、別部品を用いることなくスプリングを保持することができるので、部品点数及び組立工数を少なくすることができ、製造コストの低減を図ることができる。
【発明を実施するための最良の形態】
【０００９】
図１乃至図６は本発明の一実施形態を示すもので、図１はカード用コネクタの平面図、図２はその分解斜視図、図３はその背面図、図４はその側面断面図、図５はその要部側面断面図、図６はカード用コネクタの背面側を示す要部拡大斜視図である。
【００１０】
このコネクタは、一端側からカード１が挿入されるコネクタ本体１０と、カード１と電気的に接続される複数のカード接続用端子２０と、カード１と共にカード挿入方向に移動するスライド部材３０と、スライド部材３０をカード排出方向に付勢するスプリング４０と、スライド部材３０をカード１の所定の挿入位置でロックするロック機構５０とから構成されている。
【００１１】
カード１は、例えばメモリスティック、ＳＤカード等、内部に任意のデータを記録可能な記録媒体を有する周知のメモリーカードからなり、その一端側には内部の記録媒体と電気的に導通する複数の接点（図示せず）が設けられている。
【００１２】
コネクタ本体１０は、金属板を成形してなる上側ハウジング１１と、合成樹脂の一体成型品からなる下側ハウジング１２とから構成され、コネクタ本体１０の前端側にはカード１を各ハウジング１１，１２間に挿入可能なカード挿入口１０ａが設けられている。上側ハウジング１１には、その幅方向両端側及び背面側を下方に折り曲げてなる側壁部１１ａが設けられ、各側壁部１１ａによって下側ハウジング１２の幅方向両端及び背面が覆われている。また、上側ハウジング１１の背面側の側壁部１１ａにはスプリング４０を保持するための保持部１１ｂが設けられ、保持部１１ｂは側壁部１１ａの一部を前方に切り起こすことによって形成されている。この場合、下側ハウジング１２の後端には、その幅方向一端側を除いて背面壁１２ａが設けられ、上側ハウジング１１の保持部１１ｂは下側ハウジング１２の背面壁１２ａが存在しない部分に対応するように設けられている。
【００１３】
カード接続用端子２０はコネクタ本体１０の他端側に配置され、下側ハウジング１２に互いに幅方向に間隔をおいて保持されている。この場合、各端子２０の一端にはカード１の接点に接触する接触部２１が設けられ、その他端には図示しない基板等に接続される接続部２２が設けられている。
【００１４】
スライド部材３０は下側ハウジング１２の幅方向一端側に前後方向に移動自在に設けられ、その後端側にはスプリング４０が挿入される溝３１が設けられている。
【００１５】
スプリング４０はコイル状に形成され、その一端を上側ハウジング１１の背面側の側壁部１１ａに係止するとともに、その他端側はスライド部材３０の溝３１内の一端に係止している。即ち、スプリング４０はスライド部材３０とコネクタ本体１０の側壁部１１ａとの間に配置されている。この場合、スプリング４０の一端側には上側ハウジング１１の保持部１１ｂが挿入され、保持部１１ｂによってスプリング４０の一端側が幅方向に移動しないように保持されている。
【００１６】
ロック機構５０は、下側ハウジング１２の幅方向一端側（スライド部材３０の前方）に設けられたカム溝５１と、一端をスライド部材３０に連結された係合ピン５２とからなり、係合ピン５２の他端はカム溝５１に係合している。カム溝５１は、周知のプッシュ・プッシュ式ロック機構のハートカムを形成しており、その詳細な構成及び動作については説明を省略する、
以上のように構成されたカード用コネクタにおいては、コネクタ本体１０のカード挿入口１０ａにカード１が挿入されると、カード１の先端がスライド部材３０に係止し、スライド部材３０がカード１と共にコネクタ本体１０の他端側に向かって移動する。カード１をコネクタ本体１０内の所定位置まで挿入し、カード１の挿入方向への押圧を解除すると、ロック機構５０によってスライド部材３０がロックされ、カードがコネクタ本体１０内の所定位置に保持される。
【００１７】
次に、カード１をコネクタ本体１０から排出する場合は、カード１を挿入方向に押圧すると、ロック機構６０によるスライド部材３０のロックが解除され、カード１の押圧を解除すると、スライド部材３０がスプリング４０によってカード排出方向に移動し、カード１がコネクタ本体１０の所定位置まで排出される。
【００１８】
本実施形態では、スライド部材３０を付勢するスプリング４０の一端側をコネクタ本体１０に一体に設けた保持部１１ｂによって保持するようにしているので、スプリング４０を保持するための保持部品としてピン等の別部品を用いる必要がない。従って、部品点数及び組立工数を少なくすることができ、製造コストの低減を図ることができる。
【００１９】
この場合、保持部１１ｂを側壁部１１ａ側からスプリング４０内に挿入されるように突設したので、スプリング４０を簡単な形状により確実に保持することができ、構造の簡素化を図ることができる。
【００２０】
また、保持部１１ｂを側壁部１１ａの一部を前方に切り起こすことによって形成するようにしたので、型抜き及び曲げ加工のみによって保持部１１ｂを形成することができ、保持部１１ｂの加工を極めて容易に行うことができる。
【００２１】
尚、前記実施形態では、保持部１１ｂを上側ハウジング１１の側壁部１１ａに設けたものを示したが、例えば下側ハウジング１２の背面壁１２ａを幅方向一端側まで形成し、一体成型等により背面壁１２ａに保持部を設けるようにしてもよい。
【図面の簡単な説明】
【００２２】
【図１】本発明の一実施形態を示すカード用コネクタの平面図
【図２】カード用コネクタの分解斜視図
【図３】カード用コネクタの背面図
【図４】カード用コネクタの側面断面図
【図５】カード用コネクタの要部側面断面図
【図６】カード用コネクタの背面側を示す要部拡大斜視図
【符号の説明】
【００２３】
１…カード、１０…コネクタ本体、１１ａ…側壁部、１１ｂ…保持部、２０…カード接続用端子、３０…スライド部材、４０…スプリング、５０…ロック機構。
【図１】
2005108455.tif 000003
【図２】
2005108455.tif 000004
【図３】
2005108455.tif 000005
【図４】
2005108455.tif 000006
【図５】
2005108455.tif 000007
【図６】
2005108455.tif 000008